(57)【要約】【課題】アミューズメント性を持たせた長椅子を提供する。【解決手段】略直方体の複数の木材を短手方向に並べて構成した、座部の長手方向の左右半分を占める左右座部半体１０，２０と、左右座部半体１０，２０の接触部分を相じゃくり加工し、その部分を中央貫通材６０で短手方向に貫き、左座部半体１０の右端部を、上端部で回転可能に支持するために、前後一対の左脚３２の上端部に渡され、左座部半体１０の複数の木材を載置する左横材３４と、短手方向に並べられた複数の木材を短手方向に貫く左貫通材３６と、頭部に左貫通材３６の外径より大きな内径の管状部を有し、左貫通材３６が管状部に貫通された状態で、左横材３４に固定される左固定部３８と、を備えた左脚部３０と、左脚部３０と左右対称の右脚部４０と、左座部半体１０と右座部半体２０の接触部分下部を支持する弓状の竹製の弾性支持部５０と、を備えた長椅子１。【選択図】図１
2014100417.tif 000002
【特許請求の範囲】
【請求項１】
使用者が着座するための座部の長手方向の左半分を占める左座部半体と、
前記座部の長手方向の右半分を占める右座部半体と、
前記左座部半体の右端部を、上端部で回転可能に支持する前後一対の左脚を有する左脚部と、
前記右座部半体の左端部を、上端部で回転可能に支持する前後一対の右脚を有する右脚部と、
前記左座部半体と前記右座部半体の接触部分下部を支持する、弾性力を有する弾性支持部と、
を備えたことを特徴とする長椅子。
【請求項２】
請求項１に記載の長椅子において、
前記左座部半体及び前記右座部半体は、
略直方体の複数の木材を短手方向に並べて構成され、
前記左脚部は、
前記前後一対の左脚の上端部に渡され、前記左座部半体の複数の木材を載置する左横材と、
前記短手方向に並べられた前記複数の木材を短手方向に貫く左貫通材と、
頭部に前記左貫通材の外径より大きな内径の管状部を有し、前記左貫通材が前記管状部に貫通された状態で、前記左横材に固定される左固定部と、
を備え、
前記右脚部は、
前記前後一対の右脚の上端部に渡され、前記右座部半体の複数の木材を載置する右横材と、
前記短手方向に並べられた前記複数の木材を短手方向に貫く右貫通材と、
頭部に前記右貫通材の外径より大きな内径の管状部を有し、前記右貫通材が前記管状部に貫通された状態で、前記右横材に固定される右固定部と、
を備え、
前記左座部半体と前記右座部半体の接触部分が短手方向に相じゃくり加工され、
前記相じゃくり加工された接触部分を短手方向に貫き、前記左座部半体と前記右座部半体とを回動可能に結合する中央貫通材とを備えたことを特徴とする長椅子。
【請求項３】
請求項２に記載の長椅子において、
前記左座部半体と前記右座部半体の接触部分の相じゃくり加工された木材の端面は、垂直面に対し、２７°の角度を有していることを特徴とする長椅子。
【請求項４】
請求項１〜請求項３のいずれか１項に記載の長椅子において、
前記弾性支持部は、
前記前後一対の左脚と前記前後一対の右脚のうち、少なくとも前又は後の左右の脚を両端とし、前記左座部半体と前記右座部半体の接触部分下部を頂点とし、前記頂点が、前記左座部半体と前記右座部半体の接触部分下部に接触する弓状の板バネであることを特徴とする長椅子。
【請求項５】
請求項１〜請求項４のいずれか１項に記載の長椅子において、
前記左座部半体と前記右座部半体との接触部分を下から支持する、着脱可能な支柱部を備えていることを特徴とする長椅子。
【発明の詳細な説明】
【技術分野】
【０００１】
本発明は、アミューズメント性を持たせた長椅子に関する。
【背景技術】
【０００２】
従来、左長椅子半体と右長椅子半体との枢結部を覆う安全カバーを有し、両端が長椅子の前端及び後端より内側に位置する中間支持脚と左右両端部とを連結したバネによって、折り畳み可能とした折畳み式長椅子があった（例えば特許文献１参照）。
【０００３】
このような折畳み式長椅子は、中間支持脚と左右両端部とがバネで連結されているため、折り畳みを簡便で容易に行うことができ、折り畳み後の安定性もよく、長椅子を収納する際に収納スペースを小さくすることもできる。また、長椅子の中央部分を設置面に対して上に跳ね上げて折り畳まれているだけであるので、折り畳んだ長椅子を使用する際には、簡単に展開状態（着座できる状態）とすることができる。
【先行技術文献】
【特許文献】
【０００４】
【特許文献１】特開平１１−３４６８６５号公報
【発明の概要】
【発明が解決しようとする課題】
【０００５】
ところが、上記長椅子は、収納を容易にするとともに収納スペースを小さくするために中央部から二つに分割して折り畳むことができるようにする機構を有しているものであり、使用者が長椅子に座る際にアミューズメント性を持たせるための機構は有していない。
【０００６】
つまり、使用者が着座したときに、長椅子の形状が変化し、それによって使用者を楽しませるという機構ではないという問題があった。
本発明は、こうした問題に鑑みなされたもので、アミューズメント性を持たせた長椅子を提供することを目的とする。
【課題を解決するための手段】
【０００７】
この欄においては、発明に対する理解を容易にするため、必要に応じて「発明を実施するための形態」欄において用いた符号を付すが、この符号によって請求の範囲を限定することを意味するものではない。
【０００８】
上記「発明が解決しようとする課題」において述べた問題を解決するためになされた長椅子（１）は、左座部半体（１０）、右座部半体（２０）、左脚部（３０）、右脚部（４０）及び弾性支持部（５０）を備えている。
【０００９】
左座部半体（１０）は、使用者が着座するための座部の長手方向の左半分を占める平板状の座部であり、右座部半体（２０）は、座部の長手方向の右半分を占める平板状の座部である。
【００１０】
左脚部（３０）は、左座部半体（１０）の右端部を、上端部で回転可能に支持する前後一対の左脚（３２）を有する脚部であり、右脚部（４０）は、右座部半体（２０）の左端部を、上端部で回転可能に支持する前後一対の右脚（４２）を有する脚部である。
【００１１】
弾性支持部（５０）は、左座部半体（１０）と右座部半体（２０）の接触部分下部を支持する、弾性力を有するものである。
このような長椅子（１）では、左座部半体（１０）の右端部と右座部半体（２０）の左端部がそれぞれ左脚部（３０）と右脚部（４０）の上端部で回転可能に支持されており、弾性支持部（５０）が、左座部半体（１０）と右座部半体（２０）の接触部分下部を支持する構造となっている。
【００１２】
したがって、左座部半体（１０）と右座部半体（２０）に人が着座すると、換言すれば、二人の人が左座部半体（１０）と右座部半体（２０）それぞれに着座すると、左座部半体（１０）と右座部半体（２０）の接触部分が、人の重さで降下し、左座部半体（１０）と右座部半体（２０）は、長椅子（１）の中央部が降下する形で傾く。
【００１３】
すると、その傾きにより、着座していた人（二人）は、左右両側から長椅子（１）の中央部分に近づくようになる。つまり、イベントなどで使用するとアミューズメント性を有する長椅子（１）となる。
【００１４】
また、請求項２に記載のように、左座部半体（１０）及び右座部半体（２０）を、略直方体の複数の木材を短手方向に並べて構成し、左脚部（３０）は、前後一対の左脚（３２）の上端部に渡され、左座部半体（１０）の複数の木材を載置する左横材（３４）と、短手方向に並べられた複数の木材を短手方向に貫く左貫通材（３６）と、頭部に左貫通材（３６）の外径より大きな内径の管状部を有し、左貫通材（３６）が管状部に貫通された状態で、左横材（３４）に固定される左固定部（３８）と、を備えるようにする。
【００１５】
また、右脚部（４０）も同様に、前後一対の右脚（４２）の上端部に渡され、右座部半体（２０）の複数の木材を載置する右横材（４４）と、短手方向に並べられた複数の木材を短手方向に貫く右貫通材（４６）と、頭部に右貫通材（４６）の外径より大きな内径の管状部を有し、右貫通材（４６）が管状部に貫通された状態で、右横材（４４）に固定される右固定部（４８）と、を備えるようにする。
【００１６】
さらに、左座部半体（１０）と右座部半体（２０）の接触部分が短手方向に相じゃくり加工し、相じゃくり加工された接触部分を短手方向に貫き、左座部半体（１０）と右座部半体（２０）とを回動可能に結合する中央貫通材（６０）とを備えるようにするとよい。
【００１７】
このように、中央貫通材（６０）を用いることにより容易に長椅子（１）を構成することができる。
ところで、略長方形の木材で左座部半体（１０）及び右座部半体（２０）を形成し、接触部を相じゃくり加工し、その部分に中央貫通材（６０）を通して回動可能とした場合、左座部半体（１０）又は右座部半体（２０）、あるいはその両方に人が座ると、接触部が降下し、相じゃくり加工部分に段差ができる。
【００１８】
すると、その段差部分に人の指などが挟まれ、人が立ち上がって接触部が上がってくると、段差部分に人の指などが噛み込まれてしまう可能性がある。
そこで、請求項３に記載のように、左座部半体（１０）と右座部半体（２０）の接触部分の相じゃくり加工された木材の端面を、垂直面に対し、２７°の角度とするとよい。
【００１９】
このようにすると、接触部が降下したときに指などが挟まった状態で接触部が上がってくると、指などが段差部分から押し出されるようになり、指などが噛み込まれることがなくなり、安全である。
【００２０】
ところで、弾性支持部（５０）には種々のものが考えられる。例えば、コイルバネを、長椅子（１）の設置面と、左座部半体（１０）と右座部半体（２０）と接触部分の下面と、の間に設置して、接触部部分を指示するようにしてもよいが、請求項４に記載のように、弾性支持部（５０）を、前後一対の左脚（３２）と前後一対の右脚（４２）のうち、少なくとも前又は後の左右の脚（３２，４２）を両端とし、左座部半体（１０）と右座部半体（２０）の接触部分下部を頂点とし、頂点が、左座部半体（１０）と右座部半体（２０）の接触部分下部に接触する弓状の板バネであるようにしてもよい。
【００２１】
このようにすると、弾性支持部（５０）を板バネで構成することができるので軽量化をすることができ、また、左右の脚部（３０，４０）と一体化することができるので長椅子（１）を持ち運ぶ際にも便利である。
【００２２】
さらに、請求項５に記載のように、左座部半体（１０）と右座部半体（２０）との接触部分を下から支持する、着脱可能な支柱部（８０）を備えていると、支柱部（８０）を装着した場合には、接触部分を下から支えるので、人が着座しても、接触部分が降下せず、通常の長椅子（１）として使用することができるようになる。逆に、支柱部（８０）を外した場合には、上記アミューズメント性を持たせた長椅子（１）として使用することができる。
【図面の簡単な説明】
【００２３】
【図１】長椅子の正面図である。
【図２】長椅子の背面図である。
【図３】長椅子の左側面図である。
【図４】長椅子の右側面図である。
【図５】長椅子の平面図である。
【図６】長椅子の底面図である。
【図７】接触部分の拡大図である。
【図８】長椅子に使用者が着座したときの様子を示す正面図である。
【図９】第２実施形態における長椅子の正面図である。
【発明を実施するための形態】
【００２４】
以下、本発明が適用された実施形態について図面を用いて説明する。なお、本発明の実施の形態は、下記の実施形態に何ら限定されることはなく、本発明の技術的範囲に属する限り種々の形態を採りうる。
［第１実施形態］
図１は、本発明が適用された長椅子１の正面図、図２は背面図、図３は左側面図、図４は右側面図、図５は平面図、図６は底面図である。
【００２５】
長椅子１は、図１〜６に示すように、左座部半体１０、右座部半体２０、左脚部３０、右脚部４０、弾性支持部５０及び背もたれ部７０を備えている。
左座部半体１０は、長椅子１の座部の長手方向の左半分を占める座部であり、長手方向の長さ約１０００［ｍｍ］、幅（短手方向の長さ）約５００［ｍｍ］で、断面の一辺が約５０［ｍｍ］の正方形の、略直方体の複数（本実施形態では４本）の木材を１０［ｍｍ」程度の隙間を空けて短手方向に並べて構成されている。
【００２６】
右座部半体２０、長椅子１の座部の長手方向の右半分を占める座部であり、左座部半体１０と同様に、長手方向の長さ約１０００［ｍｍ］、幅（短手方向の長さ）約５００［ｍｍ］の略直方体の複数（本実施形態では４本）の木材を１０［ｍｍ］程度の隙間を空けて短手方向に並べて構成されている。
【００２７】
左座部半体１０と右座部半体２０を構成する木材は、対向する位置に配置されており、その接触部分は短手方向に相じゃくり加工されている。そして、相じゃくり加工された接触部分を短手方向に貫き、左座部半体１０と右座部半体２０とを回動可能に結合する中央貫通材６０とを備えている。
【００２８】
この中央貫通材６０は、ステンレスなどの金属製の、頭部と首部とを有する長尺のボルトであり、首部先端部分にネジが切ってある。そして、複数並んでいる木材のうち最前面側（図１において正面側）から挿入され、後述する背もたれ部７０の背もたれ縦板７８に設けられたガイド孔に挿入された状態で、背もたれ縦板７８の背面において、ナットで固定される。
【００２９】
このとき、アロンアルファ（登録商標）やロックタイト（登録商標）などのゆるみ止めを用いたり、ナット締め付け後にボルトの先端を潰したりして、繰り返し衝撃や振動でナットが緩まないようにしている。
【００３０】
さらに、図７（ａ）及び図７（ｂ）に「Ａ」で示すように、左座部半体１０と右座部半体２０の接触部分の相じゃくり加工された木材の端面は、図７（ｃ）に「θ」で示すように、垂直面に対し、２７°の角度を有するように加工されている。
【００３１】
左脚部３０は、左座部半体１０の右端部を、上端部で回転可能に支持する前後一対の左脚３２を有する。この前後一対の左脚３２の前側の脚は、長さ約４００［ｍｍ］、直径約１００［ｍｍ］の丸太材であり、後ろ側の脚は、長さ約８００［ｍｍ］、直径約１００［ｍｍ］の丸太材である。
【００３２】
このように、前側の脚が後ろ側の脚に比べて長いのは、後述するように、後ろ側の脚が背もたれ部７０と一体となっている（脚の一部が背もたれ部７０を兼ねる）ためである。
左座部半体１０の右端部を回転可能に支持する構造をさらに説明すると、その前後一対の左脚３２の上端部に左横材３４が渡されており（図３参照）、その上に、左座部半体１０を構成する複数の木材が載置されている。
【００３３】
そして、左貫通材３６で、複数の木材を短手方向に貫くことによって、左座部半体１０が左貫通材３６を回転中心として回転できるようになっている。この左貫通材３６は、ステンレスなどの金属製の、頭部と首部を有する長尺のボルトであり、首部先端部分にネジが切ってある。
【００３４】
左貫通材３６は、複数並んでいる木材の最前面の木材側面側（図１において正面側）から挿入され、後述する背もたれ部７０を構成する左支柱７２をも貫通し、背もたれ部７０の背面においてナットで固定される。
【００３５】
また、左貫通材３６は、左固定部３８により左横材３４に固定されている。この左固定部３８は、頭部に左貫通材３６の外径より大きな内径の管状部を有し、左貫通材３６が管状部に貫通された状態で、左横材３４に固定される。
【００３６】
このように、管状部に左貫通材３６が貫通しているので、左座部半体１０は、左貫通材３６を回転中心として回転できる。
さらに、接触部において中央貫通材６０で一体化された左座部半体１０と右座部半体２０が降下したときに、左座部半体１０の右端部が引っ張られる状態になっても、管状部の内径が左貫通材３６の外径より大きい、つまりガタを持たせてあるため、左座部半体１０と右座部半体２０が滑らかに降下することができることとなる。
【００３７】
右脚部４０は、左脚部３０と左右対称の同じ構成であるため、その説明を省略する。
弾性支持部５０は、左座部半体１０と右座部半体２０の接触部分下部を支持する、弾性力を有するバネである。
【００３８】
具体的には、左脚部３０の前後の一対の左脚３２と右脚部４０の前後の一対の右脚４２の前側の脚及び後ろ側の脚それぞれを両端とし、左座部半体１０と右座部半体２０の接触部分下部（相じゃくり加工されている部分）を頂点とし、頂点が接触部分下部に接触する弓状の板バネである。
【００３９】
なお、弾性支持部５０は、竹製の板バネを、カバーとなるビニールホースに挿入して形成してある。
背もたれ部７０は、左支柱７２、右支柱７４，背もたれ横板７６及び背もたれ縦板７８を備えている。
【００４０】
左支柱７２は、左脚部３０の一対の左脚３２の後ろ側の脚を上方に延長して背もたれ部７０の支柱としたものであり、右支柱７４は、右脚部４０の一対の右脚４２の後ろ側の脚を上方に延長させて背もたれ部７０の支柱としたものである。
【００４１】
背もたれ横板７６は、左支柱７２及び右支柱７４の間に渡された平板であり、背もたれ縦板７８は、左支柱７２及び右支柱７４の中間に設けられた板材である。
左支柱７２と右支柱７４は、それぞれ脚を延長したものであるから、直径約１００［ｍｍ］の丸太材であり、長さは、約４００［ｍｍ］であり、背もたれ横板７６は、左支柱７２及び右支柱７４の頂部と左座部半体１０及び右座部半体２０との中間位置よりもやや上部に取り付けられている。
【００４２】
また、背もたれ縦板７８の中央部には、縦長のガイド孔が設けられており、中央貫通材６０の先端部が、ガイド孔に挿入され、ナットで固定される。
（長椅子１の特徴）
このような長椅子１では、左座部半体１０と右座部半体２０に人が着座すると、換言すれば、二人の人が左座部半体１０と右座部半体２０それぞれに着座すると、図８に示すように、左座部半体１０と右座部半体２０の接触部分が、人の重さで降下し、左座部半体１０と右座部半体２０は、長椅子１の中央部が降下する形で傾く。
【００４３】
すると、その傾きにより、着座していた人（二人）は、左右両側から長椅子１の中央部分に近づくようになる。つまり、イベントなどで使用するとアミューズメント性を有する長椅子１となる。
【００４４】
また、左座部半体１０と右座部半体２０の接触部分の相じゃくり加工された木材の端面を、垂直面に対し、２７°の角度としてあるので、接触部が降下したときに指などが挟まった状態で接触部が上がってくると、指などが段差部分から押し出されるようになり、指などが噛み込まれることがなくなり、安全である。
【００４５】
さらに、弾性支持部５０として、左脚３２と右脚４２の前と後の左右の脚３２，４２を両端とし、左座部半体１０と右座部半体２０の接触部分下部を頂点とし、頂点が、左座部半体１０と右座部半体２０の接触部分下部に接触する弓状の竹製の板バネとしているので、軽量化することができ、左右の脚部３０，４０と一体化することができるので長椅子１を持ち運ぶ際にも便利である。
［第２実施形態］
次に、図８に基づき、支柱部８０を備えるようにした第２実施形態について説明する。第２実施形態では、支柱部８０以外の長椅子１の構成は第１実施形態における長椅子１と同じであるので、その説明は省略する。
【００４６】
支柱部８０は、図８に示すように、脚と同様に、直径約１００［ｍｍ］の丸太材を、長椅子１の設置面と左座部半体１０及び右座部半体２０の接触部の下面との間隔と同じ長さに切断したものである。
【００４７】
このような支柱部８０を左座部半体１０及び右座部半体２０の接触部を下から支持するように、長椅子１の設置面と左座部半体１０及び右座部半体２０の接触部の下面との間に挿入すると、接触部分を下から支えるので、人が着座しても、接触部分が降下せず、通常の長椅子１として使用することができるようになる。逆に、支柱部８０を外した場合には、上記アミューズメント性を持たせた長椅子１として使用することができる。
【００４８】
以上、本発明の実施形態について説明したが、本発明は、本実施形態に限定されるものではなく、種々の態様を採ることができる。
（１）上記実施形態では、弾性支持部５０として竹製の弓状の板バネを用いたが、左座部半体１０及び右座部半体２０の接触部の下面との間に、金属製のコイルバネを挿入するようにしてもよい。
（２）上記実施形態では、左右座部半体１０，２０、左右脚部３０，４０、背もたれ部７０などに木材を使用していたが、金属やプラスチックあるいは樹脂など他の材料を使用してもよい。
【符号の説明】
【００４９】
１… 長椅子  １０… 左座部半体  ２０… 右座部半体  ３０… 左脚部  ３２… 左脚  ３４… 左横材  ３６… 左貫通材  ３８… 左固定部  ４０… 右脚部  ４２… 右脚
４４… 右横材  ４６… 右貫通材  ４８… 左固定部  ５０… 弾性支持部  ６０… 中央貫通材  ７０… 背もたれ部  ７２… 左支柱  ７４… 右支柱  ７６… 背もたれ横板  ７８… 背もたれ縦板  ８０… 支柱部。
【図１】
2014100417.tif 000003
【図２】
2014100417.tif 000004
【図３】
2014100417.tif 000005
【図４】
2014100417.tif 000006
【図５】
2014100417.tif 000007
【図６】
2014100417.tif 000008
【図７】
2014100417.tif 000009
【図８】
2014100417.tif 000010
【図９】
2014100417.tif 000011